(57)【要約】【課題】触覚でタッチの対象となっている箇所が認識でき、視覚障害者においても操作が可能となる入出力装置を提供する。【解決手段】マトリクス状に配置される複数の構造体を備える入出力装置であって、前記各構造体は、タッチ対象であることを示す画像を表示する表示装置と、前記表示装置の操作者側に配置され、前記操作者の指が触れたことを検出するタッチ検知装置と、前記表示装置の前記操作者の反対側に配置されるタッチパネル移動装置とで構成され、前記各構造体の前記タッチパネル移動装置は、自構造体の表示装置がタッチ対象であることを示す画像を表示する場合に、自構造体の前記表示装置と前記タッチ検出装置とを、前記自表示装置の表示面に対して垂直に移動させ、前記操作者が操作可能な箇所を視覚および触覚で認識可能とする。【選択図】図２
2010128643.tif 000002
【特許請求の範囲】
【請求項１】
マトリクス状に配置される複数の構造体を備える入出力装置であって、
前記各構造体は、タッチ対象であることを示す画像を表示する表示装置と、
前記表示装置の操作者側に配置され、前記操作者の指が触れたことを検出するタッチ検知装置と、
前記表示装置の前記操作者の反対側に配置されるタッチ移動装置とで構成され、
前記各構造体の前記タッチパネル移動装置は、自構造体の表示装置がタッチ対象であることを示す画像を表示する場合に、自構造体の前記表示装置と前記タッチ検出装置とを、前記自表示装置の表示面に対して垂直に移動させ、前記操作者が操作可能な箇所を視覚および触覚で認識可能としたことを特徴とする入出力装置。
【発明の詳細な説明】
【技術分野】
【０００１】
本発明は、入出力装置に係り、特に、情報処理装置の入出力装置であるタッチパネルについて、操作者が、タッチの対象となる箇所を視覚のみではなく、触覚でも認識できるようにした入出力装置に関する。
【背景技術】
【０００２】
従来、情報処理装置の入出力装置であるタッチパネルは、処理装置からの指示により、操作者がタッチすべき箇所が、表示装置上に図形および文字で表示される。
【０００３】
なお、本願発明に関連する先行技術文献としては以下のものがある。
【特許文献１】特開２００２一２２２０５７号公報
【発明の開示】
【発明が解決しようとする課題】
【０００４】
前述した従来のタッチパネルは、操作者のタッチの対象となる箇所が、表示装置上に図形および文字で表示されるため、視覚障害者にとっては、タッチパネルを用いて操作することが困難であるという課題があった。
本発明は、前記従来技術の問題点を解決するためになされたものであり、本発明の目的は、触覚でタッチの対象となっている箇所が認識でき、視覚障害者においても操作が可能となる入出力装置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の課題を解決するために、本発明は、マトリクス状に配置される複数の構造体を備える入出力装置であって、前記各構造体は、タッチ対象であることを示す画像を表示する表示装置と、前記表示装置の操作者側に配置され、前記操作者の指が触れたことを検出するタッチ検知装置と、前記表示装置の前記操作者の反対側に配置されるタッチパネル移動装置とで構成され、前記各構造体の前記タッチパネル移動装置は、自構造体の表示装置がタッチ対象であることを示す画像を表示する場合に、自構造体の前記表示装置と前記タッチ検出装置とを、前記自表示装置の表示面に対して垂直に移動させることにより、タッチの対象となる前記タッチパネルとタッチの対象とならない前記タッチパネルで高低差を持たせ、操作者が操作可能な箇所を、視覚および触覚で認識可能としたことを特徴とする。
【発明の効果】
【０００６】
本願において開示される発明のうち代表的なものによって得られる効果を簡単に説明すれば、下記の通りである。
本発明によれば、触覚でタッチの対象となっている箇所が認識できるようになり、視覚障害者においても操作が可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、従来のタッチパネルを示す図である。
図１において、１００はタッチパネル本体、１１はタッチパネルに表示されたタッチの対象となるタッチ対象部分を示す。
図１に示すように、前述した従来のタッチパネルでは、操作者のタッチの対象となる箇所が、表示装置上に図形および文字で表示されるだけであるため、視覚障害者にとっては、タッチパネルを用いて操作することが困難であるという課題があった。
図２は、本発明の実施例のタッチパネルを用いた入出力装置を示す図である。
図２において、２００はタッチパネルを用いた入出力装置本体、２１は格子状に複数個配置した構造体である。
各構造体２１は、タッチ検知装置および薄型の表示装置から構成されるタッチパネル２２と、タッチパネル２２をタッチパネルの平面とは垂直方向に移動させるタッチパネル移動装置２３とで構成される。なお、図２において、２４はタッチの対象となるタッチパネルをタッチの対象とはならないタッチパネルより浮き出させた状態である浮き出しタッチパネルを示す。
【０００８】
図３は、本実施例のタッチパネルを用いた入出力装置において、タッチの対象となるタッチパネルが存在しない状態を側面から見た図である。
図３において、３１はタッチパネル、３２はタッチ検知装置、３３は薄型の表示装置、３４はタッチパネルをタッチパネルの平面とは垂直方向に移動させるタッチパネル移動装置、３５は移動軸を示す。ここで、タッチ検知装置３２は、例えば、操作者が押したときの圧力を検出するタイプのもので構成される。タッチ検知装置３２を、操作者の指がタッチした時は、タッチ検知装置３２は、操作者の指がタッチした情報を外部の処理装置に伝達される。
また、薄型の表示装置３３は、外部の処理装置の制御下のもとに、例えば、ドットマトリクスによって図形および文字を表示する。
図４は、本実施例のタッチパネルを用いた入出力装置において、タッチの対象となるタッチパネルが存在する状態を側面から見た図である。
図４において、４１はタッチパネル、４２はタッチ検知装置、４３は薄型の表示装置、４４はタッチパネルをタッチパネルの平面とは垂直方向に移動させるタッチパネル移動装置、４５は移動軸、４６はタッチの対象となるタッチパネルが移動した移動状態を示す。
ここで、タッチパネル移動装置４４は、外部の処理装置の制御下のもとに、タッチパネルを垂直方向に移動させる。
【０００９】
図５は、本実施例のタッチパネルを用いた入出力装置において、１個の構造体を拡大して示す図である。
図５において、５１はタッチパネル、５２はタッチパネルを構成するタッチ検知装置、５３はタッチパネルを構成する薄型の表示装置、５４は移動軸、５５はタッチパネルを移動軸５４を用いてタッチパネルの平面とは垂直方向に移動させるタッチパネル移動装置、５６は電磁石、５７は永久磁石、５８はバネである。
図５の構成では、電磁石５６に通電することにより、電磁石５６の永久磁石５７と接する面が永久磁石５７とは反対の極性に励磁されることによる反発によって、移動軸５４がタッチパネルの平面とは垂直方向に移動する。これにより、タッチパネル５１がタッチパネルの平面とは垂直方向に移動する。
電磁石５６が励磁状態ではなくなった場合にバネ５８の反発力によって移動軸５４およびタッチパネル５１が移動前の位置に戻る。
以上説明したように、本実施例では、表示装置とタッチ検出装置とを、垂直に移動させることにより、タッチの対象となるタッチパネルと、タッチの対象とならないタッチパネルで高低差を持たせ、操作者が操作可能な箇所を、視覚および触覚で認識可能としたので、視覚障害者においても操作が可能となる。
以上、本発明者によってなされた発明を、前記実施例に基づき具体的に説明したが、本
発明は、前記実施例に限定されるものではなく、その要旨を逸脱しない範囲において種々変更可能であることは勿論である。
【図面の簡単な説明】
【００１０】
【図１】従来のタッチパネルを示す図である。
【図２】本発明の実施例のタッチパネルを用いた入出力装置を示す図である。
【図３】本発明の実施例のタッチパネルを用いた入出力装置において、タッチの対象となるタッチパネルが存在しない状態を示す図である。
【図４】本発明の実施例のタッチパネルを用いた入出力装置において、タッチの対象となるタッチパネルとタッチの対象とならないタッチパネルで高低差がついている状態を示す図である。
【図５】本発明の実施例のタッチパネルを用いた入出力装置において、１個の構造体を拡大して示す図である。
【符号の説明】
【００１１】
１１  タッチ対象部分
２１  構造体
２２，３１，４１，５１  タッチパネル
２３，３４，４４，５５  タッチパネル移動装置
２４  浮き出しタッチパネル
３２，４２，５２  タッチ検知装置
３３，４３，５３  表示装置
３５，４５，５４  移動軸
４６  移動状態
５６  電磁石
５７  永久磁石
５８  バネ
１００  タッチパネル本体
２００  入出力装置本体
【図１】
2010128643.tif 000003
【図２】
2010128643.tif 000004
【図３】
2010128643.tif 000005
【図４】
2010128643.tif 000006
【図５】
2010128643.tif 000007